(57)【要約】【課題】アクセスする都度、パスワードを入力する必要がなく、またパスワードをオペレータが記憶し、メモする必要がない。【解決手段】センタ装置１１０Ａにおいて、診断ソフトをインストールする際に、パスワードを登録しておき、アクセスの都度、登録してあるパスワードも自動送信する。ファクシミリ装置１００Ａでは、着信があり、リモート診断のアクセスがあると（ＳＴ１１、ＳＴ１４）、自機にパスワードが登録されているか判定し（ＳＴ１５）、登録なしの場合は、送信されて来たパスワードをセットし、リモート診断処理を実行する（ＳＴ１６、ＳＴ１７）。パスワード登録有りの場合は、送信されて来たパスワードと一致する場合に、アクセスを許可し、リモート診断処理に入る（ＳＴ１９、ＳＴ１７）。パスワードが一致しない場合は、アクセスを許可せず、回線断する（ＳＴ１９、ＳＴ２０）。【選択図】　　　図４
2004135112.tif 000002
【特許請求の範囲】
【請求項１】
遠隔のセンタ装置からのアクセスで自装置のメモリ内容の読み書きを許可する通信端末装置であって、設置後最初にアクセスされたセンタ装置からのパスワードを記憶し、以後、センタ装置よりのパスワードと記憶中のパスワードが一致した場合にアクセスを許可することを特徴とする通信端末装置。
【請求項２】
センタ装置に、遠隔診断用ソフトをインストールする際に、パスワードも合わせて記憶しておき、通信端末装置を設置した後、通信端末装置で最初にアクセスがあったセンタ装置からのパスワードを記憶しておき、以後、センタ装置からパスワードとともにアクセスがあり、記憶中のパスワードと一致した場合にアクセスを許可するようにしたことを特徴とする通信端末装置の遠隔診断方法。
【発明の詳細な説明】
【０００１】
【発明の属する技術分野】
この発明は、遠隔のセンタ装置から診断可能なファクシミリ装置等の通信端末装置及び通信端末装置の遠隔診断方法に関する。
【０００２】
【従来の技術】
一般に、ファクシミリ装置等の通信端末装置では、設置後、バージョンアップのレベル確認、故障診断のために、遠隔のセンタ装置より、公衆回線を介して、メモリをアクセスし、診断できるシステムがよく知られている。この種のシステムでは、従来、センタ装置からアクセス時に、その都度パスワードを入力して、装置に予め登録済のパスワードと一致するとアクセスの許可を受けていた〔例えば、特許文献１参照〕。
【０００３】
【特許文献】
特開平５−１４５７６号公報
【０００４】
【発明が解決しようとする課題】
上記した従来技術のように、遠隔診断のため、各端末のメモリをアクセスする場合、その都度パスワードを入力しなければならないので、操作が面倒である上、パスワードを記憶忘れてしまうと、アクセスできないという問題がある。
【０００５】
この発明は上記問題点に着目してなされたものであって、パスワードをアクセスの都度入力する必要がなく、しかもパスワードがわからなくなり、アクセスできないという不具合を解消し得る通信端末装置及び通信端末装置の遠隔診断方法を提供することを目的としている。
【０００６】
【課題を解決するための手段】
この発明の通信端末装置は、遠隔のセンタ装置からのアクセスで自装置のメモリ内容の読み書きを許可する通信端末装置であって、設置後最初にアクセスされたセンタ装置からのパスワードを記憶し、以後、センタ装置よりのパスワードと記憶中のパスワードが一致した場合にアクセスを許可するようにしている。
【０００７】
また、この発明の通信端末装置の遠隔診断方法は、センタ装置に、遠隔診断用ソフトをインストールする際に、パスワードも合わせて記憶しておき、通信端末装置を設置した後、通信端末装置で最初にアクセスがあったセンタ装置からのパスワードを記憶しておき、以後、センタ装置からパスワードとともにアクセスがあり、記憶中のパスワードと一致した場合にアクセスを許可するようにしている。
【０００８】
【発明の実施の形態】
以下、実施の形態により、この発明をさらに詳細に説明する。図１は、この発明が実施される遠隔診断システムの機器構成を示すブロック図である。ここでは、センタ装置１１０Ａから公衆回線１２０を介して、各端末であるファクシミリ装置１００Ａ、１００Ｂ、……、１００Ｎをアクセスして、遠隔診断する場合を想定している。センタ装置１１０Ｂは、ファクシミリ装置１００Ａ、１００Ｂ、……、１００Ｎをアクセスできない。
【０００９】
図２は、ファクシミリ装置１００（１００Ａ、１００Ｂ、……、１００Ｎ）の構成を示すブロック図である。このファクシミリ装置１００は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０と、ＬＡＮインターフェース１１と、バス１２を備えている。
【００１０】
ＮＣＵ１は、電話回線１３との接続を制御するとともに、相手先の電話番号（対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。また、モデム２は、ナンバーディスプレイ情報を受信するためにＶ２３の復調機能も備えている。画像メモリ３は、受信画像データや読み取り部９で読み取った原稿画像データを一時的に記憶する。ＲＡＭ４では、通信処理時、画像処理時に、データを一時的に記憶する。また、ＲＡＭ４にはセンタ装置１１０から各ファクシミリ装置にアクセスする場合に使用するパスワードを記憶するパスワード記憶部４ａを有する。ＲＯＭ５は、ファクシミリ装置全体を制御するためのプログラムを記憶する。
【００１１】
主制御部６は、ＣＰＵで構成され、ＲＯＭ５に記憶されたプログラムに従い、ファクシミリ装置を構成する各部を制御する。表示部７は、ファクシミリ装置の動作状態等の各種情報を表示する。操作部８は、テンキー、スタートキー、その他のキーで構成される。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。ＬＡＮインターフェース１１は、ＬＡＮネットワーク１４を介して外部のパソコン等に接続される。また、インターネットを介して、電子メールを送受信し得る。
【００１２】
また、センタ装置１１０は、図３に示すように、ＣＰＵ２１と、ＮＣＵ２２と、ＭＯＤＥＭ２３と、ＲＯＭ２４と、メモリ２５と、入力部２６と、表示部２７と、ＣＤ−ドライブ２８と、ＬＡＮＩ／Ｆ２９とを備えている。ＣＰＵ２１は、ファクシミリ装置１００の主制御部６に相当し、ＮＣＵ２１、ＭＯＤＥＭ２３、ＲＯＭ２４、メモリ２５、入力部（操作部）２６、表示部２７、ＬＡＮＩ／Ｆ２９等は、ファクシミリ装置１００に備えるものと同様のものである。メモリ２５には、ファクシミリ装置１００と同様にパスワード記憶部２５ａを備えている。ＣＤドライブ２８は、ＣＤより遠隔診断ソフトをインストールする場合等に使用される。
【００１３】
この実施形態遠隔診断システムにおいて、センタ装置１１０では、ＲＤＳ（遠隔診断ソフト）をインストールする際に、図５に示すように、ステップＳＴ１において、ファクシミリ装置へのアクセス用のパスワードを入力し、次に、ステップＳＴ２において、パスワード記憶部２５ａにパスワードをセーブする。つまり、登録しておく。例えば、センタ装置１１０Ａからファクシミリ装置１００Ａへアクセスする場合にはその都度、登録してあるパスワードを自動的に送信する。
【００１４】
ファクシミリ装置では、図４に示すように、先ずステップＳＴ１１において、着信か否か判定する。ステップＳＴ１２においては、ＦＳＫ信号（ｆｒｅｇｕｅｎｃｙ　ｓｈｉｆｔ　ｋｅｙｉｎｇ）を送信し、次にステップＳＴ１３で、ＦＳＫ信号を受信する。続いて、ステップＳＴ１４へ移行する。ＦＳＫ信号としては、ファクシミリのプロトコル信号の非標準信号（ＮＳＳ、ＮＳＣ）が使用される。
【００１５】
ステップＳＴ１４においては、リモート診断か否か判定する。受信した内容がセンタ装置１１０Ａからのリモート診断である場合は、ステップＳＴ１５へ移行する。一方、リモート診断でない場合は、ステップＳＴ１８へ移行する。ステップＳＴ１８においては、通常の受信処理を実行する。そして、ステップＳＴ１１へ戻る。
【００１６】
ステップＳＴ１５においては、自機にパスワード登録有りか否か判定する。パスワード記憶部４ａにパスワードが既に登録されている場合は、ステップＳＴ１９へ移行する。一方、パスワード記憶部４ａにまだパスワードが登録されていない場合は、ステップＳＴ１６へ移行する。ステップＳＴ１６においては、パスワード記憶部４ａにパスワードが登録されていなかったところから、今回のアクセスが装置設置後、初めてのものであるとして、送られて来たパスワードをセットする。つまり、パスワード記憶部４ａに記憶する。次に、ステップＳＴ１７へ移行する。ステップＳＴ１７においては、センタ装置からのアクセスを許可し、リモート診断処理を実行する。そして、ステップＳＴ１１へ戻る。
【００１７】
ステップＳＴ１９においては、送られて来たパスワードとパスワード記憶部４ａに登録されているパスワードが一致するか否か判定する。パスワードが一致すれば、ステップＳＴ１７へ移行する。一方、パスワードが一致しなければ、ステップＳＴ２０へ移行する。ステップＳＴ１９において、パスワードが一致したことは、最初にパスワードを登録したセンタ装置１１０Ａからのアクセスを意味するので、ステップＳＴ１９の判定ＹＥＳに続くステップＳＴ１７においても、アクセスを許可し、リモート診断処理を実行する。そして、ステップＳＴ１１へ戻る。
【００１８】
ステップＳＴ１９において、パスワードが一致しないことは、今回は最初にパスワードを登録したセンタ装置１１０Ａとは異なる。例えば、センタ装置１１０Ｂ　からのアクセスであることを意味するので、ステップＳＴ２０においては、アクセスを許可せず、回線を断する。そして、ステップＳＴ１１へ戻る。
【００１９】
【発明の効果】
この発明によれば、センタ装置に、遠隔診断用ソフトをインストールする際に、パスワードも合わせて記憶しておき、通信端末装置を設置した後、通信端末装置で最初にアクセスがあったセンタ装置からのパスワードを記憶しておき、以後、センタ装置からパスワードとともにアクセスがあり、記憶中のパスワードと一致した場合にアクセスを許可するようにしているので、最初のパスワードを登録すると、その後は、アクセス時に自動的にパスワードも送信されるので、その都度パスワードを入力する必要もないし、また、オペレータがパスワードを記憶し、あるいはメモしておく必要がない。
【図面の簡単な説明】
【図１】この発明が実施される遠隔診断システムの機器構成を示すブロック図である。
【図２】同遠隔診断システムのファクシミリ装置の構成を示すブロック図である。
【図３】同遠隔診断システムのセンタ装置の構成を示すブロック図である。
【図４】図２に示すファクシミリ装置の診断処理のアクセス許可処理を説明するためのフロー図である。
【図５】図３に示すセンタ装置のパスワード登録を説明するためのフロー図である。
【符号の説明】
４ａ、２５ａ　　　　　　　　　　　　パスワード記憶部
１００Ａ、１００Ｂ、……、１００Ｎ　ファクシミリ装置
１００Ａ、１１０Ｂ　　　　　　　　　センタ装置
１２０　　　　　　　　　　　　　　　公衆電話回線
【図１】
2004135112.tif 000003
【図２】
2004135112.tif 000004
【図３】
2004135112.tif 000005
【図４】
2004135112.tif 000006
【図５】
2004135112.tif 000007